(57)【要約】      （修正有）【課題】薬の服用を管理し、服用忘れや二重服用を防止するとともに、製造コストが低く、また使用が容易な薬の服用管理具を提供する。【解決手段】厚紙等の台紙１上に日時を表示する日時表示部３を印刷し、またこの日時表示部３に対応した位置に形成された少なくとも一対の上方に凸の曲線状の保持スリット部６ａ、６ｂを形成する。分離したＰＴＰシート７の錠剤収容部の周囲の薄板状の部分を保持スリット部６ａ、６ｂに差し込んで保持させ、ＰＴＰシート７を服用すべき日時と対応させて保持する。【選択図】図１
2008005871.tif 000002
【特許請求の範囲】
【請求項１】
弾性を有するシート材からなる台紙を備え、この台紙に表示された薬を服用すべき日時を表示する日時表示部と、この日時表示部に対応した位置に形成された互いに反対方向に傾斜した部分を有する少なくとも一対の保持スリット部とを備え、これら保持スリット部は台紙の上下方向に対して上方に凸となる曲線状をなし、これら保持スリット部に分離された薬のプッシュスルーパッケージの両側隅部を挟持させることを特徴とする薬の服用管理具。
【請求項２】
上記の少なくとも一対の保持スリット部の間隔は、２錠分ずつに分離されたプッシュスルーパッケージを保持できる間隔に設定されており、上記の日時表示部は分離されたプッシュスルーパッケージの各錠剤収容部ごとに対応するように表示されていることを特徴とする請求項１の薬の服用管理具。
【請求項３】
上記の曲線状の保持スリット部は、円弧状の曲線であることを特徴とする請求項１の薬の服用管理具。
【請求項４】
上記の保持スリット部の両終端は台紙の上下方向に対して同じ高さ位置に並んでいることを特徴とする請求項１の薬の服用管理具。
【請求項５】
上記の一対の保持スリット部は、互いに対向する終端部に対して互いに遠い側の終端部が高い高さ位置に位置していることを特徴とする請求項１の薬の服用管理具。
【請求項６】
上記の台紙は、複数枚が開閉自在に綴り合わされ、手帳形に形成されていることを特徴とする請求項１の薬の服用管理具。
【請求項７】
前記の台紙は、分離された複数枚からなるカード形をなしていることを特徴とする請求項１の薬の服用管理具。
【請求項８】
前記の台紙は、卓上カレンダー形に形成されていることを特徴とする請求項１の薬の服用管理具。
【発明の詳細な説明】
【技術分野】
【０００１】
本発明は、薬の服用日時を管理する管理具であって、さらに特定すればプッシュスルーパッケージ（ＰＴＰ）包装された錠剤、カプセル等の服用日時が容易に把握できるとともに使用が簡単で、低コストで製造できる薬の服用管理具に関する。
【背景技術】
【０００２】
一般に、医療機関から処方される薬は、毎日、または所定時間ごとに服用日時を指定して処方される場合が多い。しかし、長い期間にわたって薬を服用するような場合に、薬の服用を忘れたり、また服用したことを忘れて二重に服用することがある。このような薬の服用忘れ、または二重服用は服用者に悪影響を与えるので、これを防止する各種の器具が開発されているが、構造が複雑でコスト高であり、また使用に際して操作、取り扱いが煩雑なものが多く、低いコストで簡単に製造可能なものが要望されている。
【０００３】
たとえば、特許文献１には、カレンダー状の台紙に日付に対応して複数の袋状の薬収納部を設け、これらの薬収納部に薬を収容しておき、薬の服用忘れや二重服用を防止するものがある。しかし、このようなものは、やはり製造にコストが掛かり、また使用の際の手間が煩雑である。
【０００４】
また、特許文献２に示すものは、カレンダーの表面に粘着層を形成し、ここにメモ等を貼り付け保持させるものである。このものは、このカレンダーの日付に対応して薬を貼り付けておけば、薬の服用忘れ、二重服用は防止できると思われるが、粘着層を形成するにはコストが掛かる。
【０００５】
また、特許文献３に示すものは、ＰＴＰシートを収容できる折り畳み形の台紙を備え、この台紙にＰＴＰシートの錠剤収容部に対応して日付等を表示したものである。
しかし、このものは、製造にコストが掛かるとともに、日付の表示が一日目、二日目、としか表示できず、何日目かを忘れてしまえば、服用忘れ、二重服用を確実に防止することはできない。
【０００６】
このような問題を解決するために、本発明者等は、先に出願した特願２００６−２８６１８に示すような薬の服用管理具を開発した。このものは、弾性を有するシート材からなる台紙を備え、この台紙に表示された薬を服用すべき日時を表示する日時表示部と、この日時表示部に対応した位置に形成された互いに反対方向に傾斜した少なくとも一対の保持スリット部とを備え、これら保持スリット部に分離された薬のプッシュスルーパッケージの両側隅部を挟持させ、日時と服用すべき薬とを対応させた状態で保持するものである。このものは、製造が簡単で低いコストで製造でき、また使用が簡便であり、薬の服用忘れ、二重服用を効果的に防止できる。
【０００７】
ところで、上記のような薬の服用管理具は可能な限り容易、簡単に使用できるようにする必要があり、薬の服用者の使用態様に合わせてより使い勝手の良いものが要望されている。
【特許文献１】特開２００１−２５８９９９号公報
【特許文献２】実開昭６４−２７２６４号公報
【特許文献３】特開２００１−７０４０４号公報
【発明の開示】
【発明が解決しようとする課題】
【０００８】
本発明は以上の事情に基づいてなされたもので、薬の服用忘れや二重服用を確実に防止できるとともに、構造が簡単で低いコストで製造でき、また使用もより簡単な薬の服用管理具を提供するものである。
【課題を解決するための手段】
【０００９】
請求項１に記載の本発明は、弾性を有するシート材からなる台紙を備え、この台紙に表示された薬を服用すべき日時を表示する日時表示部と、この日時表示部に対応した位置に形成された互いに反対方向に傾斜した部分を有する少なくとも一対の保持スリット部とを備え、これら保持スリット部は台紙の上下方向に対して上方に凸となる曲線状をなし、これら保持スリット部に分離された薬のプッシュスルーパッケージの両側隅部を差し込んで挟持させることを特徴とする薬の服用管理具である。
【００１０】
請求項２に記載の本発明は、上記の少なくとも一対の保持スリット部の間隔は、２錠分ずつに分離されたプッシュスルーパッケージを保持できる間隔に設定されており、上記の日時表示部は分離されたプッシュスルーパッケージの各錠剤収容部ごとに対応するように表示されていることを特徴とする薬の服用管理具である。
【００１１】
請求項３に記載された本発明は、上記の曲線状の保持スリット部は、円弧状の曲線であることを特徴とする薬の服用管理具である。
【００１２】
請求項４に記載された本発明は、上記の保持スリット部の両終端は台紙の上下方向に対して同じ高さ位置に並んでいることを特徴とする薬の服用管理具である。
【００１３】
請求項５に記載の本発明は、上記の一対の保持スリット部は、互いに対向する終端部に対して互いに遠い側の終端部が高い高さ位置に位置していることを特徴とする薬の服用管理具である。
【００１４】
請求項６に記載の本発明は、上記の台紙は、複数枚が開閉自在に綴り合わされ、手帳形に形成されていることを特徴とする薬の服用管理具である。
【００１５】
請求項７に記載の本発明は、前記の台紙は、分離された複数枚からなるカード形をなしていることを特徴とする薬の服用管理具である。
【００１６】
請求項８に記載の本発明は、前記の台紙は、卓上カレンダー形に形成されていることを特徴とする薬の服用管理具である。
【発明の効果】
【００１７】
請求項１の薬の服用管理具は、厚紙等の台紙上に日時を表示する日時表示部を印刷、印字または記入し、またこの日時表示部に対応した位置に互いに反対方向に傾斜した部分を有する保持スリット部を形成しただけのものであり、構造が簡単である。また厚紙等の台紙への印刷、保持スリット部の形成は、従来のボール箱その他の厚紙製品の加工の製造設備をそのまま使用でき、極めて安価に製造できる。
【００１８】
また、プッシュスルーパッケージすなわちＰＴＰシートは、透明なプラスチックシートに錠剤等を収容する円形または楕円形の凸状の錠剤収容部を形成し、錠剤等をこの収容部内に収容し、裏面をアルミ箔などでシールしたものであり、最近ではほとんどの錠剤またはカプセルはこのＰＴＰ包装されている。このＰＴＰシートを分離すると、上記の収容部の周囲に薄板状の部分が形成されるので、この部分の下側両隅部を上記の保持スリットに差し込めば、このＰＴＰシートは容易かつ確実に台紙上に保持され、逆さにして振っても脱落しない。
【００１９】
また、これら保持スリット部は上方に凸となるような曲線状に形成されている。したがって、この台紙を少し湾曲させると、この上方に凸の曲線状の保持スリット部に簡単に隙間が形成され、薬のＰＴＰシートの隅部をこの保持スリット部内に容易に挿入し、保持させることができる。
【００２０】
したがって、台紙上に表示された日時、たとえば暦日と対応した位置に分離されたＰＴＰシートの薬が保持されているので、その日に薬を服用したか否かが一目瞭然であり、薬の服用忘れ、二重服用が確実に防止される。
【００２１】
また、請求項２に記載の薬の服用管理具は、上記の少なくとも一対の保持スリット部の間隔は、２錠分ずつに分離されたＰＴＰシートを保持する間隔に設定されており、上記の日時表示部は分離されたＰＴＰシートの各錠剤収容部ごとに対応するように表示されているので、使用に便利でまた誤飲も防止できる。
【００２２】
すなわち、通常のＰＴＰ包装は、１４錠、１０錠の２列のシート状である。このＰＴＰシートを１錠ずつに細かく切断してしまうと、高齢者等はこの細分されたＰＴＰシートごと飲み込んでしまう場合がある。このような誤飲を防止するために、最近のＰＴＰシートは２錠分ずつにしか分離できないようにミシン目を入れているが、鋏で１錠分ずつに切断してしまう服用者も多い。
【００２３】
したがって、２錠分ずつに分離されたＰＴＰシートしか保持できないようにしておけば、ＰＴＰシートを１錠分ずつに細かく切断しても、この細分されたＰＴＰシートは不安定で保持ができない。したがって、鋏を使わずにもミシン目に沿って２錠分ずつに分離すれば、そのまま保持スリットに差し込むことができ、使用が簡単で、また薬の服用者は、２錠分ずつに分離する習慣ができるため、上述のような誤飲が防止できる。
【００２４】
また、請求項３に記載された本発明は、上記の曲線状の保持スリット部は、円弧状の曲線であるので、台紙を湾曲させた場合に簡単に保持スリット部が開き、また薬のＰＴＰシートを挿入する際に引っかからず、挿入が容易である。
【００２５】
また、請求項４に記載された本発明は、上記の保持スリット部の両終端は台紙の上下方向に対して同じ高さ位置に並んでいるので、台紙を湾曲させた場合にこれら保持スリット部が最も大きく開き、薬のＰＴＰシートの挿入がきわめて容易である。なお、この上方に湾曲した保持スリット部の互いに対向した部分は反対方向に傾斜しているので、この部分でＰＴＰシートを挟み込み保持する。
【００２６】
また、請求項５に記載の本発明は、上記の一対の保持スリット部は、互いに対向する終端部に対して互いに遠い側の終端部が高い高さ位置に位置しているので、これら一対の曲線状の保持スリット部全体が互いに反対方向に傾斜して配置されることになるので、これら保持スリット部を開くのが容易でありながら、薬のＰＴＰシートの保持力も大きい。
【００２７】
また、請求項６に記載の本発明は、上記の台紙は、複数枚が開閉自在に綴り合わされ、手帳形に形成されているので、たとえば半年分、一年分の日付の記入された多数枚数の台紙を一括して綴り合わせておくことができ、使用が容易であるとともに、薬の服用状態がひと目で分かる。
【００２８】
また、請求項７に記載の本発明は、前記の台紙は、分離された複数枚からなるカード形をなしているので、これらを適切なスタンドに立てておけば、日めくりカレンダーのように使用することができ、また外出、旅行等の際には、その日数分のカード形台紙をたとえばチャック付ポリ袋に収納して簡便に携帯することができる。
【００２９】
請求項８に記載の本発明は、前記の台紙は、卓上カレンダー形に形成されているので、テーブル等の上に置いておけば、薬の服用状態が常に明瞭に把握でき、薬の飲み忘れをより確実に防止することができる。
【発明を実施するための最良の形態】
【００３０】
以下、図を参照して本発明の実施形態を説明する。図１および図２には本発明の第１の実施形態を説明する。この実施形態のものは、２錠分ずつに切り離されたＰＴＰシートを保持するものである。
【００３１】
図中の１は台紙であって、この台紙１は弾性を有するシート材、たとえばある程度の腰のある厚紙、プラスチックシート、その他の材料で形成されている。
【００３２】
また、この台紙１には、日時表示部３が形成されている。この実施形態の場合には、この日時表示部３は８個あり、横方向２段に配列されている。この実施形態の場合には、この日時表示部には暦日、すなわち月、日および曜日が予め印刷されている。そして、これらの日時表示部は、格子状の枠線４で囲まれ、各日時表示部３と、これらに対応してＰＴＰシートを保持すべき部分である保持部５とが明確に関連付けられている。
【００３３】
そして、各日時表示部３の下方に対応した枠線４内の保持部５には、対をなす保持スリット部６ａ、６ｂが形成されている。この実施形態の場合には、保持スリット部６ａ、６ｂは上下方向に並んだ４対のものが形成されており、４個のＰＴＰシートが保持可能となっている。そして、この実施形態の場合、対をなす保持スリット部６ａ、６ｂは、隣接する２つの保持部５にまたがって形成されている。
【００３４】
上記の保持スリット部６ａ、６ｂは、図２に示すように、上方に凸となる曲線状のもの、たとえば円弧状のもので、これらの曲線の両終端部は、台紙１の上下方向に対して互いに同じ高さ位置に位置している、またこれら対をなす保持スリット部６ａ、６ｂの互いに対向する端部は、曲線であるため反対方向に傾斜し、互いに上方に広がった谷状に配置されている。そして、図１および図２に示すように、２錠ずつに分割されたＰＴＰシート７の凸状の錠剤収容部９の周囲に形成される薄板状の部分８の両側下隅部が、これら保持スリット部６ａ、６ｂ内に差し込まれる。これによって、このＰＴＰシート７は、この保持部５に保持される。このＰＴＰシート７は、台紙１の弾性によって両側を挟持され、台紙１を逆さにして振っても脱落しない。
【００３５】
また、上記の保持スリット部６ａ、６ｂは上方に凸の曲線たとえば円弧状であり、それらの両終端部は同じ高さ位置に位置している。したがって、ＰＴＰシート７を挿入する際に、裏に手を添えてこの台紙全体を少し湾曲させると、この円弧状の保持スリット部で囲まれた部分は台紙１の全体とは独立しているので、この円弧の部分が台紙１から浮き上がり、この保持スリット部６ａ、６ｂが開き、ＰＴＰシート７を容易に挿入することができる。
【００３６】
また、この実施形態では、上記の台紙１は日付の連続した半年分、約２３枚がカードリング等の綴り具１０により綴り合わされ、手帳の形態をなしている。また、カードリング等の綴り具１０の径には余裕を持たせてあり、４枚３２日分の薬のＰＴＰシート７を保持させても、この手帳形の服用管理具を閉じることができるように構成されている。なお、１２は表紙である。
【００３７】
この薬の服用管理具を使用する場合には、ＰＴＰシートをミシン目に沿って２錠分ずつに分割し、この分割したＰＴＰシート７を図１に示すように、服用日時に対応するように上記の保持スリット部６ａ、６ｂに差し込んで保持させる。一日に服用すべき薬の数が複数の場合でも、最大４個のＰＴＰシートまで保持できる。この２錠ずつに分割されたＰＴＰシート７は隣接する２つの保持部５すなわち２日分の保持部５にわたって保持される。したがって、この２錠分に分割されたＰＴＰシート７の２つの錠剤収容部９はそれぞれ２つの日時表示部３に対応した保持部５に位置する。
【００３８】
よって、ＰＴＰシート７を保持させたこの手帳形の薬の服用管理具を開けば、その日に服用すべき薬、あるいはその日に服用すべき薬が服用されているか、まだ服用されていないか、等が一目瞭然となる。たとえば、図１に示すように、１０月３日服用分の２錠まで服用したことが明瞭に把握できる。したがって、薬の服用忘れ、二重服用が確実に防止される。
【００３９】
また、図３には本発明の第２の実施形態を示す。この実施形態のものは、前記の一対の保持スリット部６ａ、６ｂの互いに対向する終端部より、互いに遠い側の終端部を高い位置に位置させてあり、これらの一対の曲線状の保持スリット部は全体として互いに反対方向に傾斜した谷状に配置される。
【００４０】
この実施形態のものは、台紙１を湾曲させた場合の保持スリット部６ａ、６ｂの開きの度合いは少なくなるが、図３に示すように、ＰＴＰシート７をより深く挟み込むので、保持力がより強くなる。
【００４１】
また、図４には本発明の第３の実施形態を示す。このものは、台紙１１を１日４錠２日分を保持するように小形の独立したカード形に形成し、これを日付の連続したたとえば半年分約９０枚を用意する。なお、図４にはその１枚のみを示す。そして、これらのカード形の台紙１１に２錠ずつに分離した薬のＰＴＰシートを前述と同様に保持させ、これらの複数枚を適宜の箱型のスタンド（図示せず）に重ねて保持させ、前列から取り出し、日めくりカレンダーのようにして使用する。このものは、外出、旅行等の際に、その日数分の台紙１１を取り出し、チャック付ポリ袋等に収納して簡便に携帯することができる。
【００４２】
なお、上記の点以外はこの実施形態のものは前記の第１の実施形態と同様の構成であり、図４中で同じ部分には同じ符号を付してその説明は省略する。
【００４３】
また、図５には本発明の第４の実施形態を示す。このものは、台紙２１が折り曲げ線２２により倒立Ｖ字型に折られ、卓上カレンダーの形態をなしている。そして、台紙２１の各半分２１ａ、２１ｂには、それぞれ１日５錠６日分ずつの日時表示部３および保持スリット部６ａ、６ｂが形成されている。
【００４４】
また、この台紙２１の折り曲げ線２２の部分には、切欠部２３と折曲部２４とが形成され、この折曲部２４を折り曲げることにより、それらの縁部が切欠部２３の縁部とが当たり、その摩擦力によってこの台紙２１を任意の角度で倒立Ｖ字状に保持できるように構成されている。
【００４５】
この実施形態のものは、構造が簡単で極めて低いコストで製造でき、また卓上カレンダーの形態をなしているので、見やすく、薬の飲み忘れ、二重服用を確実に防止できる。
【００４６】
なお、この実施形態においても、前述した部分のほかは前記の第１の実施形態と同様の構成であり、これらと同じ部分には同じ符号を付してその説明は省略する。
【００４７】
さらに、本発明は上述の各実施形態には限定されない。たとえば、日時表示部および保持部等の数は上述のものには限定されず、任意の数でも良く、またその配列も横一列に限らず、縦方向に配列しても良く、さらに複数段、複数列に配列しても良い。また、これら日時表示部は最初は空欄としておき、使用時に日時を記入またはプリントするか、または日時を表示したシール等を貼ってもよい。
【００４８】
また、各対をなす保持スリット部の近傍にたとえば朝、昼、夕、食前、食後等の服用態様の表示を印刷、印字、または記入しても良い。
【００４９】
また、台紙の形状等は上記のような矩形に限定されず、台形、円形、楕円形その他の形状でも良い。また、日時表示部と保持部との関連付けの構成は、上記のように枠線で囲むものには限定されず、たとえば色分け、模様による関連付け、あるいは単なる位置関係で関連付けても良い。
【図面の簡単な説明】
【００５０】
【図１】本発明の第１の実施形態の斜視図。
【図２】保持スリット部の部分の平面図。
【図３】第２の実施形態の保持スリット部の部分の平面図。
【図４】第３の実施形態の平面図。
【図５】第４の実施形態の斜視図。
【符号の説明】
【００５１】
１  台紙
３  日時表示部
４  枠線
５  保持部
６ａ、６ｂ  保持スリット部
７  ＰＴＰシート
８  薄板状の部分
９  錠剤収容部
１１  台紙
２１  台紙
【図１】
2008005871.tif 000003
【図２】
2008005871.tif 000004
【図３】
2008005871.tif 000005
【図４】
2008005871.tif 000006
【図５】
2008005871.tif 000007